(57)【要約】【課題】行または列方向に連続する表示欠陥を容易に修復する。【解決手段】電気光学装置は、一の走査線と一のデータ線との交差に対応して設けられた一の単位回路と、一の走査線と他のデータ線との交差、他の走査線と前記一のデータ線との交差、または、他の走査線と他のデータ線との交差に対応して設けられた他の単位回路と、一の単位回路または他の単位回路によって駆動される電気光学素子と、を備える。【選択図】図２
2020027270.tif 000002
【特許請求の範囲】
【請求項１】
第１走査線および第２走査線と、
第１データ線および第２データ線と、
前記第１走査線と前記第１データ線の交差に対応して設けられた第１単位回路と、
前記第１走査線と前記第２データ線との交差、前記第２走査線と前記第１データ線との交差、または、前記第２走査線と前記第２データ線との交差のいずれか１つに対応して設けられた第２単位回路と、
電気光学素子と、
を備え、
前記第１単位回路は、前記第１電気光学素子を駆動し、前記第２単位回路は、前記第１単位回路に代わって前記電気光学素子を駆動可能に構成された
電気光学装置。
【請求項２】
駆動回路をさらに備え、
前記第２単位回路は、前記第１走査線と前記第２データ線との交差に対応して設けられており、
前記駆動回路は、前記第１データ線または前記第２データ線の一方をイネーブルとし、前記第１データ線または前記第２データ線の他方をディスイネーブルとする
請求項１に記載の電気光学装置。
【請求項３】
前記駆動回路は、前記第１データ線または前記第２データ線の他方に、前記電気光学素子を黒表示にさせるレベルの信号を供給する
請求項２に記載の電気光学装置。
【請求項４】
駆動回路をさらに備え、
前記第２単位回路は、前記第２走査線と前記第１データ線との交差に対応して設けられた
請求項１に記載の電気光学装置。
【請求項５】
前記駆動回路は、前記第１走査線または前記第２走査線の一方をイネーブルとし、前記第１走査線または前記第２走査線の他方をディスイネーブルとする
請求項４に記載の電気光学装置。
【請求項６】
前記第１単位回路は、第１駆動トランジスターおよび第１発光制御トランジスターを含み、
前記第１駆動トランジスターは、前記電気光学素子に流れる電流を制御可能であり、
前記第１発光制御トランジスターは、前記第１駆動トランジスターおよび前記電気光学素子に対して直列に接続され、
前記第２単位回路は、第２駆動トランジスターおよび第２発光制御トランジスターを含み、
前記第２駆動トランジスターは、前記電気光学素子に流れる電流を制御可能であり、
前記第２発光制御トランジスターは、前記第２駆動トランジスターおよび前記第１電気光学素子に対して直列に接続され、
前記駆動回路は、前記第１発光制御トランジスターまたは前記第２発光制御トランジスターの一方をオンさせ、前記第１発光制御トランジスターまたは前記第２発光制御トランジスターの他方をオフさせる
請求項４に記載の電気光学装置。
【請求項７】
前記第１走査線と前記第２データ線との交差に対応して設けられた第３単位回路と、
前記第２走査線と前記第２データ線との交差に対応して設けられた第４単位回路と、
をさらに含み、
前記駆動回路は、
前記第１走査線または前記第２走査線の一方と、前記第１データ線または前記第２データ線の一方とをイネーブルとし、
前記第１走査線または前記第２走査線の他方と、前記第１データ線または前記第２データ線の他方とをディスイネーブルとし、
前記第１単位回路、前記第２単位回路、前記第３単位回路、または、前記第４単位回路のいずれか１つによって前記電気光学素子を駆動する
請求項４に記載の電気光学装置。
【請求項８】
第１走査線および第２走査線を含む複数の走査線と、
第１データ線および第２データ線を含む複数のデータ線と、
第１単位回路および第２単位回路を含み、前記複数の走査線と前記複数のデータ線との交差に対応して設けられた複数の単位回路と、
第１電気光学素子を含む複数の電気光学素子と、
を有し、
前記第１単位回路は、前記第１走査線と前記第１データ線との交差に対応して設けられ、
前記第２単位回路は、前記第１走査線と前記第２データ線との交差、前記第２走査線と前記第１データ線との交差、または、前記第２走査線と前記第２データ線との交差のいずれか１つに対応して設けられ、
前記第１単位回路は、前記第１電気光学素子を駆動し、前記第２単位回路は、前記第１単位回路に代わって前記第１電気光学素子を駆動可能に構成された
電気光学装置。
【請求項９】
前記複数の走査線は、ｍ（ｍは３以上の整数）本であり、
前記複数のデータ線は、ｎ（ｎは３以上の整数）本であり、
前記複数の単位回路は、前記ｍ本の走査線と前記ｎ本のデータ線との交差に対応してｍ行ｎ列で配列し、
前記複数の電気光学素子は、Ｍ（Ｍは、Ｍ＜ｍを満たす２以上の整数）行Ｎ（Ｎは、Ｎ＜ｎを満たす２以上の整数）列で配列する
請求項８に記載の電気光学装置。
【請求項１０】
前記複数の電気光学素子のうち、
第１領域に配列する前記電気光学素子の密度は、第２領域に配列する前記電気光学素子の密度よりも低い
請求項８または９に記載の電気光学装置。
【請求項１１】
第１走査線および第２走査線と、
第１データ線および第２データ線と、
前記第１走査線と前記第１データ線との交差に対応して設けられた第１単位回路と、
前記第１走査線と前記第２データ線との交差、前記第２走査線と前記第１データ線との交差、または、前記第２走査線と前記第２データ線との交差のいずれか１つに対応して設けられた第２単位回路と、
電気光学素子と、
を有し、
前記電気光学素子は、前記第１単位回路または前記第２単位回路のいずれか１つにより駆動される
電気光学装置。
【請求項１２】
前記第２単位回路は、
前記第１走査線と前記第２データ線との交差、または、前記第２走査線と前記第２データ線との交差に対応して設けられ、
前記第１データ線に欠陥がある場合、前記電気光学素子は、前記第２単位回路によって駆動され、
当該第１データ線には、前記電気光学素子を黒表示にさせるレベルの信号が供給される
請求項１１に記載の電気光学装置。
【請求項１３】
前記第２単位回路は、
前記第２走査線と前記第１データ線との交差、または、前記第２走査線と前記第２データ線との交差に対応して設けられ、
前記第１単位回路または前記第２単位回路のうち、前記第１単位回路を使用し、前記第２単位回路を非使用とする場合、
前記第１走査線はイネーブルとされ、前記第２走査線はディスイネーブルとされる
請求項１１に記載の電気光学装置。
【請求項１４】
前記第１単位回路は、第１駆動トランジスターおよび第１発光制御トランジスターを含み、
前記第１駆動トランジスターは、前記電気光学素子に流れる電流を制御可能であり、
前記第１発光制御トランジスターは、前記第１駆動トランジスターおよび前記第１電気光学素子に対して直列に接続され、
前記第２単位回路は、第２駆動トランジスターおよび第２発光制御トランジスターを含み、
前記第２駆動トランジスターは、前記電気光学素子に流れる電流を制御可能であり、
前記第２発光制御トランジスターは、前記第２駆動トランジスターおよび前記第１電気光学素子に対して直列に接続され、
前記第１発光制御トランジスターまたは前記第２発光制御トランジスターの一方がオンし、前記第１発光制御トランジスターまたは前記第２発光制御トランジスターの他方がオフして、
前記第１単位回路または前記第２単位回路のいずれか１つで前記電気光学素子が駆動される
請求項１１に記載の電気光学装置。
【請求項１５】
請求項１乃至１４のいずれかに記載の電気光学装置を有する電子機器。
【発明の詳細な説明】
【技術分野】
【０００１】
本発明は、例えば電気光学装置および電子機器に関する。
【背景技術】
【０００２】
近年、有機発光ダイオード（Organic Light Emitting Diode、以下「ＯＬＥＤ」という）や、液晶素子などの電気光学素子を用いた電気光学装置が各種提案されている。この電気光学装置では、走査線とデータ線との交差に対応して単位回路が設けられる構成が一般的である。単位回路は、１以上トランジスターや容量などを含み、走査線が選択されたときに、データ線に供給されたデータ信号の電圧を保持し、走査線が非選択されたときでも、当該保持電圧に応じた電流をＯＬＥＤに流し続ける、または、当該保持電圧に応じた電圧を液晶素子に印加し続ける構成となっている。
【０００３】
このような構成において、ある単位回路に不良や欠陥等が生じた場合に、当該単位回路で駆動される電気光学素子は常時点灯状態（輝点）となったり、常時非点灯状態（暗点）となったりするので、表示品位が損なわれる。
そこで、電気光学素子を駆動する単位回路に対応して、電気光学素子を駆動可能および接続可能な予備（冗長）回路を持たせる一方、単位回路に欠陥等が生じた場合に、電気光学素子への接続を当該単位回路から予備回路に切り換えて、当該欠陥等を修復する技術が提案されている（例えば特許文献１参照）。
【先行技術文献】
【特許文献】
【０００４】
【特許文献１】特開２００９−３００９号公報
【発明の概要】
【発明が解決しようとする課題】
【０００５】
しかしながら、欠陥等に係る単位回路に対応する走査線またはデータ線に異常電流が流れるなどによって、当該走査線または当該データ線に断線等が生じる場合がある。このような場合に上記技術では、当該走査線を共用する１行分の単位回路、または、当該データ線を共用する１列分の単位回路を予備回路にそれぞれ切り換えても、欠陥等を修復することができない、という問題があった。
【課題を解決するための手段】
【０００６】
上記課題の一つを解決するために、本発明の一態様に係る電気光学装置は、第１走査線および第２走査線と、第１データ線および第２データ線と、前記第１走査線と前記第１データ線の交差に対応して設けられた第１単位回路と、前記第１走査線と前記第２データ線との交差、前記第２走査線と前記第１データ線との交差、または、前記第２走査線と前記第２データ線との交差のいずれか１つに対応して設けられた第２単位回路と、電気光学素子と、を備え、前記第１単位回路は、前記第１電気光学素子を駆動し、前記第２単位回路は、前記第１単位回路に代わって前記電気光学素子を駆動可能に構成される。
【図面の簡単な説明】
【０００７】
【図１】第１実施形態に係る電気光学装置の構成を示す斜視図である。
【図２】電気光学装置の電気的な構成を示す図である。
【図３】電気光学装置における単位回路の配置を示す図である。
【図４】単位回路の配置およびＯＬＥＤの等価回路を示す図である。
【図５】電気光学装置の動作を示すタイミングチャートである。
【図６】電気光学装置の動作を示すタイミングチャートである。
【図７】電気光学装置の動作を示すタイミングチャートである。
【図８】第１実施形態に係る電気光学装置の別の単位回路等の構成を示す図である。
【図９】第２実施形態に係る電気光学装置の表示部を示す図である。
【図１０】電気光学装置の単位回路およびＯＬＥＤの配置を示す図である。
【図１１】単位回路の配置およびＯＬＥＤの等価回路を示す図である。
【図１２】第３実施形態に係る電気光学装置の表示部を示す図である。
【図１３】電気光学装置の単位回路およびＯＬＥＤの配置を示す図である。
【図１４】第４実施形態に係る電気光学装置の表示部を示す図である。
【図１５】電気光学装置の単位回路およびＯＬＥＤの配置を示す図である。
【図１６】実施形態等に係る電気光学装置を用いたＨＭＤを示す斜視図である。
【図１７】ＨＭＤの光学構成を示す図である。
【発明を実施するための形態】
【０００８】
以下、本発明を実施するための形態について図面を参照して説明する。
【０００９】
＜第１実施形態＞
図１は、第１実施形態に係る電気光学装置１０の構成を示す斜視図である。
この電気光学装置１０は、例えばヘッドマウント・ディスプレイ（ＨＭＤ）などにおいてカラー画像を表示するマイクロ・ディスプレイである。電気光学装置１０の詳細については後述するが、複数の単位回路や当該単位回路によって駆動される電気光学素子などが例えば半導体シリコン基板に形成され、電気光学素子としてＯＬＥＤが用いられる。
【００１０】
電気光学装置１０の表示部１００は、画像表示領域で開口する枠状のケース７２に収納される。ＦＰＣ（Flexible Printed Circuits）基板７４の一端は、ケース７２に収容された基板に接続され、ＦＰＣ基板７４の他端には、複数の端子７６が設けられて、図示省略された上位回路に接続される。ＦＰＣ基板７４には、半導体チップの制御回路５が、ＣＯＦ（Chip On Film）技術によって実装されるとともに、当該上位回路から複数の端子７６を介して画像データが同期信号に同期して供給される。なお、同期信号には、垂直同期信号や、水平同期信号が含まれる。また、画像データは、表示すべき画像の画素の階調をＲＧＢ毎に例えば８ビットで指定する。詳細には、本実施形態では、画素の階調は、ＲＧＢ毎に、最も暗い０レベル、すなわち黒表示にさせるレベルから、最も明るい２５５レベルまでの範囲で段階的に指定する。
制御回路５は、上位回路から供給される同期信号にしたがって表示部１００を垂直走査および水平走査するための各種の制御信号を生成するとともに、上記階調を、ＲＧＢの各サブ画素に分け、表示部１００の垂直走査および水平走査に合わせて、または、加工して出力する。なお、制御回路５は、電気光学装置１０の電源回路としても機能し、各電位（電圧）を生成する。
【００１１】
図２は、実施形態に係る電気光学装置１０の電気的な構成を示す図である。この図に示されるように、電気光学装置１０は、制御回路５と、走査線駆動回路２０と、複数のＹセレクター２２と、データ線駆動回路４０と、複数のＸセレクター４２と、表示部１００とに大別される。
このうち、表示部１００には、サブ画素１３０がマトリクス状に配列されている。詳細には、本実施形態では表示部１００において、３本毎にグループ化された（３Ｍ）本の走査線１２が図において横方向に延在して設けられ、３本毎にグループ化された（３Ｎ）本のデータ線１４が図において縦方向に延在して設けられ、グループ化された３本の走査線と３本のデータ線との交差に対応してサブ画素１３０が配列する。
【００１２】
Ｍ、Ｎはそれぞれ２以上の整数である。便宜的に、走査線１２が延在する方向を行（ロウ）とし、データ線１４が延在する方向を列（カラム）とした場合、サブ画素１３０は、Ｍ行Ｎ列で配列することになる。
また、本実施形態において、サブ画素１３０は、赤（Ｒ）、緑（Ｇ）または青（Ｂ）のいずかの色に対応し、表示部１００において例えばストライプ配列となっている。具体的には、同色のサブ画素１３０が列方向に直線的に、行方向にＲＧＢの順で配列している。
なお、１個のサブ画素１３０は１個のＯＬＥＤを含み、当該ＯＬＥＤはサブ画素１３０に対応する色で発光して、３原色の１つを表現する。すなわち、サブ画素１３０は、ＯＬＥＤの発光によって表現され、ＲＧＢの３つのサブ画素１３０によって、表示するカラー画像の１画素が表現される。また、ＲＧＢの３つのサブ画素１３０が１画素を構成したが、他のサブ画素を含んでいてもよいし、４つ以上のサブ画素１３０が１画素を構成してもよい。
本実施形態において１個のＯＬＥＤは、９個の単位回路のうち１個の単位回路によって駆動されるが、ＯＬＥＤと単位回路との関係については後述する。
【００１３】
制御回路５は、上位回路から供給された画像データや同期信号に基づいて、各種信号を出力する。主な信号について説明すれば、制御回路５は、走査線駆動回路２０を制御するための制御信号Ｃtryと、データ線駆動回路４０を制御するための制御信号Ｃtrxと、サブ画素１３０の階調を指定する階調レベルＶdとを出力する。なお、図２では複雑化を避けるために省略されているが、制御回路５からは、Ｙセレクター２２に、いずれの走査線１２をイネーブルとするか、ディスイネーブルとの情報が供給され、Ｘセレクター４２に、いずれのデータ線１４をイネーブルとするか、ディスイネーブルとの情報が供給される。
【００１４】
走査線駆動回路２０は、Ｍ行Ｎ列で配列するサブ画素１３０を１フレームの期間にわたって順番に走査するための走査信号を、制御信号Ｃtryにしたがって生成する。ここで、１、２、３、…、（Ｍ−１）、Ｍ行目のサブ画素１３０を走査するための走査信号が、それぞれＧ(1)、Ｇ(2)、Ｇ(3)、…、Ｇ(M-1)、Ｇ(M)と表記されている。
なお、Ｍ行Ｎ列で配列するサブ画素１３０の行、および、３本毎にグループ化された走査線１２の行を一般的に説明するために、１≦ｉ≦Ｍを満たす整数のｉを用い、ｉ行目と表記され、ｉ行目のサブ画素１３０を走査するための走査信号がＧ(i)と表記される。
また、１フレームの期間とは、電気光学装置１０が１カット（コマ）分の画像を表示するのに要する期間をいい、例えば同期信号に含まれる垂直同期信号の周波数が６０Ｈｚであって、等倍速であれば、その１周期分の１６．７ミリ秒の期間である。
【００１５】
Ｙセレクター２２は、グループ化された３本の走査線１２に対応して設けられる。このため、Ｙセレクター２２は、本実施形態ではＭ個設けられる。
Ｍ個のＹセレクター２２の各々は、それぞれ制御回路５の指示によって３本の走査線１２のうち１本をイネーブルとし、他の２本をディスイネーブルとする。具体的には、Ｙセレクター２２は、イネーブルされた１本の走査線１２には、走査線駆動回路２０からの走査信号をそのまま供給する一方、ディスイネーブルされた２本の走査線１２には、それぞれ非選択信号を供給する。
走査線１２についてのイネーブルとは、垂直走査の際に、走査の対象となった場合には、単位回路において走査線１２にゲートノードが接続された後述のトランジスターをオンさせる選択信号が供給され、走査の対象となっていない場合には当該トランジスターをオフにさせる非選択信号が供給される状態をいう。また、走査線１２についてのディスイネーブルとは、垂直走査の際に、走査の対象となっているか、いないかにかかわらず、非選択信号に固定される状態をいう。
なお、各Ｙセレクター２２は、初期状態においては、３本のうち、例えば図において一番上の１本の走査線１２をイネーブルとする。
【００１６】
データ線駆動回路４０は、走査線駆動回路２０によって選択された１行分のサブ画素１３０に向けてそれぞれデータ信号を供給する。Ｍ行Ｎ列で配列するサブ画素１３０の列、および、３本毎にグループ化されたデータ線１４の列を一般的に説明するために、１≦ｊ≦Ｎを満たす整数のｊを用いる。ここで、ｉ行目が選択される場合に、データ線駆動回路４０は、ｉ行１列のサブ画素１３０に向けてデータ信号Ｓ(1)を、ｉ行２列のサブ画素１３０に向けてデータ信号Ｓ(2)を、ｉ行３列のサブ画素１３０に向けてデータ信号Ｓ(3)を、それぞれ出力し、ｉ行ｊ列のサブ画素１３０に向けてデータ信号Ｓ(j)を出力する。
データ線駆動回路４０の一例について説明すると、データ線駆動回路４０では、ラッチ回路４０２、Ｄ／Ａ変換回路４０４および増幅回路４０６のセットが、グループ毎に、すなわち、３本のデータ線１４毎に設けられる。
ここで、ラッチ回路４０２、Ｄ／Ａ変換回路４０４および増幅回路４０６について、ｊ番目のグループで代表して説明する。
ｊ番目のグループにおいて、ラッチ回路４０２は、ｉ行目が選択されるときに、制御回路５から供給されるｉ行ｊ列のサブ画素１３０に対応する階調レベルＶdをラッチする。Ｄ／Ａ変換回路４０４は、ラッチ回路４０２でラッチされた階調レベルＶdをアナログ信号に変換し、増幅回路４０６は、Ｄ／Ａ変換回路４０４によって変換されたアナログ信号を増幅して、データ信号Ｓd(j)として出力する。ここでは、ラッチ回路４０２、Ｄ／Ａ変換回路４０４および増幅回路４０６についてｊ番目のグループで説明したが、ｊ番目以外のラッチ回路４０２、Ｄ／Ａ変換回路４０４および増幅回路４０６についても、ｊ番目のグループと同時並行的に動作する。
なお、データ信号の電位関係については、階調レベルが０レベルに相当する電位Ｖ_0から、階調レベルが２５５レベルに相当する電位Ｖ_255までの範囲で段階的に取り得る。ここで、ＯＬＥＤへの電流を制御する駆動トランジスターをＰチャネル型とした場合、階調レベルで明るく指定されるほど、データ信号の電位は、最高の電位Ｖ_0から最低の電位Ｖ_255まで低下する。
【００１７】
Ｘセレクター４２は、グループ化された３本のデータ線１４に対応して設けられる。このため、Ｘセレクター４２は、本実施形態ではＮ個設けられる。
Ｎ個のＸセレクター４２の各々は、それぞれ制御回路５の指示によって３本のデータ線１４のうち１本をイネーブルとし、他の２本をディスイネーブルとする。
具体的には、Ｘセレクター４２は、イネーブルされた１本のデータ線１４には、データ線駆動回路４０からのデータ信号をそのまま供給する一方、ディスイネーブルされた２本のデータ線１４には、階調レベルが０レベル、すなわち黒表示に相当する電位Ｖ_0の信号をそれぞれ供給する。
なお、各Ｘセレクター４２は、初期状態においては、３本のうち、例えば図において一番左の１本のデータ線１４をイネーブルとする。
データ線１４についてのイネーブルとは、データ線駆動回路４０からデータ信号が供給される状態をいう。また、データ線１４についてのディスイネーブルとは、データ線駆動回路４０からのデータ信号ではなく、黒表示にさせる電位Ｖ_0の信号が供給される状態をいう。
また、制御回路５、走査線駆動回路２０、複数のＹセレクター２２、データ線駆動回路４０および複数のＸセレクター４２は、駆動回路の一例である。
【００１８】
次に、サブ画素１３０と単位回路との関係について説明する。
【００１９】
図３は、電気光学装置１０における単位回路１０００の配置を示す図である。この図は、ｉ行ｊ列のサブ画素１３０、ｉ行（ｊ＋１）列のサブ画素１３０、および、ｉ行（ｊ＋２）列のサブ画素１３０のそれぞれに対応する単位回路１０００の配列を示している。
この図に示されるように、単位回路１０００は、１本の走査線１２と１本のデータ線１４との交差に対応して設けられる。したがって、グループ化された３本の走査線と３本のデータ線との交差に設けられたサブ画素１３０には、９個の単位回路１０００が対応する。
【００２０】
なお、図３では、Ｙセレクター２２によって、ｉ行目のサブ画素１３０に対応する３本の走査線１２に供給される信号が、それぞれＧ(i)_a、Ｇ(i)_b、Ｇ(i)_cと表記されている。
同様に、Ｘセレクター４２によって、ｊ列目のサブ画素１３０に対応する３本のデータ線１４に供給される信号が、それぞれＳ(j)_a、Ｓ(j)_b、Ｓ(j)_cと表記され、（ｊ＋１列目のサブ画素１３０に対応する３本のデータ線１４に供給される信号が、それぞれＳ(j+1)_a、Ｓ(j+1)_b、Ｓ(j+1)_cと表記され、（ｊ＋２）列目のサブ画素１３０に対応する３本のデータ線１４に供給される信号が、それぞれＳ(j+2)_a、Ｓ(j+2)_b、Ｓ(j+2)_cと表記されている。
【００２１】
図４は、１個のサブ画素１３０の電気的な構成を示す図である。本実施形態では、１個のサブ画素１３０に、１個のＯＬＥＤ１５０と、９個の単位回路１０００とが設けられる。なお、図４は、単位回路１０００などの等価回路を示すに留まり、実際の回路レイアウトを反映させた図ではない。
【００２２】
この図に示されるように、サブ画素１３０に対応する３本の走査線１２と３本のデータ線１４との各交差に対応して単位回路１０００が計９個設けられている。
１個の単位回路１０００は、Ｐチャネル型のトランジスター１２１、１２２と、容量Ｃpixとを含む。
トランジスター１２２のゲートノードが走査線１２に接続され、ドレインまたはソースノードの一方がデータ線１４に接続され、他方がトランジスター１２１におけるゲートノードと、容量Ｃpixの一端とにそれぞれ接続されている。駆動トランジスターの一例であるトランジスター１２１にあっては、ソースノードが給電線１１６に接続されている。給電線１１６には、ＯＬＥＤ１５０の電源高位側となる電位Ｖelが給電される。
なお、容量Ｃpixの他端は、本実施形態では給電線１１６に接続されているが、定電位に保たれていれば、別の電位の給電線に接続されてもよい。
【００２３】
なお、９個の単位回路１０００については電気的にみれば互いに同一構成である。９個の単位回路１０００におけるトランジスター１２１のドレインノードは、互いにＯＬＥＤ１５０のアノードに共通接続されている。ＯＬＥＤ１５０のカソードは、給電線１１８に接続されている。給電線１１８には、ＯＬＥＤ１５０の電源低位側となる電位Ｖctが給電される。
【００２４】
図５のタイミングチャートを参照して電気光学装置１０の動作について説明する。
この図に示されるように、１フレーム（Ｆ）の期間にわたって走査信号Ｇ(1)〜Ｇ(M)が順次Ｌレベルに切り替えられて、１〜Ｍ行目のサブ画素１３０が１水平走査期間（Ｈ）毎に順番に走査される。
初期状態においてＭ個のＹセレクター２２は、３本のうち、一番上の１本の走査線１２のみをイネーブルとする。このため、ｉ行目でいえば、Ｙセレクター２２は、当該ｉ行目に対応する３本の走査線１２に供給される信号Ｇ(i)_a、Ｇ(i)_b、Ｇ(i)_cのうち、信号Ｇ(i)_aを、走査線駆動回路２０から出力された走査信号Ｇ(i)とし、信号Ｇ(i)_b、信号Ｇ(i)_cを非選択信号のＨレベルとする。なお、ここではｉ行目について説明しているが、他の行についても同様である。
【００２５】
また、初期状態においてＮ個のＸセレクター４２は、３本のうち、一番左の１本のデータ線１４のみをイネーブルとする。このため、ｊ列目でいえば、Ｘセレクター４２は、当該ｊ列目に対応する３本のデータ線１４に供給される信号Ｓ(j)_a、Ｓ(j)_b、Ｓ(j)_cのうち、信号Ｓ(j)_aをデータ線駆動回路４０から出力されるデータ信号Ｓ(j)とし、信号Ｓ(j)_b、Ｓ(j)_を電位Ｖ_0とする。
なお、ここではｊ列目について説明しているが、他の列についても同様である。
【００２６】
ここで、ｉ行目の選択に応じて、走査信号Ｇ(i)がＬレベルとなったとき、ｊ列目のデータ信号Ｓ(j)は、ｉ行ｊ列の階調レベル（ｉ、ｊ）に応じた電圧となる。
走査信号Ｇ(i)がＬレベルとなると、ｉ行ｊ列のサブ画素１３０に対応する９個の単位回路のうち、一番上の走査線１２に対応する３個の単位回路１０００ではトランジスター１２２がオンするが、中央および一番下の走査線１２に対応する６個の単位回路１０００ではトランジスター１２２がオフする。
【００２７】
このため、ｉ行ｊ列のサブ画素１３０に対応する９個の単位回路１０００のうち、一番上の走査線１２に対応する３個の単位回路１０００では、一番左に位置する単位回路１０００の容量Ｃpixに信号Ｓ(j)の電圧が保持される一方、中央および一番右に位置する単位回路１０００の容量Ｃpixには電位Ｖ_0がそれぞれ保持される。
当該３個の単位回路のうち、一番左に位置する単位回路１０００では、信号Ｇ(i)_aがＬレベルからＨレベルになっても、トランジスター１２１のゲートノードが容量Ｃpixによって信号Ｓ(j)の電圧に保持されるので、トランジスター１２１は当該電圧に応じた電流をＯＬＥＤ１５０に向けて流し続ける。
当該３個の単位回路のうち、中央および一番右に位置する単位回路１０００では、信号Ｇ(i)_aがＬレベルからＨレベルになっても、トランジスター１２１のゲートノードが容量Ｃpixによって電位Ｖ_0に保持されるので、トランジスター１２１は電流をＯＬＥＤ１５０に向けて流すことはない。
【００２８】
なお、ｉ行ｊ列のＯＬＥＤ１５０に対応する９個の単位回路のうち、中央および一番下の走査線１２に対応する６個の単位回路１０００においては、トランジスター１２１がオンすることがないので、容量Ｃpixにはデータ線１４を介した信号が保持されない。詳細には容量Ｃpixの一端、すなわち、トランジスター１２１のゲートノードは、リークによってほぼ電位Ｖelとなっている。このため、当該６個の単位回路１０００では、トランジスター１２１が電流をＯＬＥＤ１５０に向けて流すことはない。
【００２９】
したがって、ｉ行ｊ列のサブ画素１３０に対応する９個の単位回路１０００のうち、ＯＬＥＤ１５０に向けて電流を流すのは、３本の走査線１２のうち、イネーブルされた一番上の走査線１２、および、３本のデータ線１４のうち、イネーブルされた一番左のデータ線１４に対応する単位回路１０００のみとなり、ｉ行ｊ列のサブ画素１３０におけるＯＬＥＤ１５０が、当該電流に応じて発光することになる。
なお、ここでは、ｉ行ｊ列のサブ画素１３０について説明したが、他のサブ画素１３０についても同様であり、３本の走査線のうち一番上の走査線１２および３本のデータ線１４のうち一番左のデータ線１４に対応する単位回路１０００のみが、対応するＯＬＥＤ１５０に容量Ｃpixの保持電圧に応じた電流を流すことになる。
【００３０】
ところで、初期状態において、各Ｙセレクター２２によってイネーブルされる走査線１２および各Ｘセレクター４２によってイネーブルされるデータ線１４に対応する単位回路１０００がすべて正常であれば、表示品位が低下することはない。
しかしながら、上述したように、走査線１２を単位とした１行分の単位回路１０００、または、データ線１４を単位とした１列分の単位回路１０００で欠陥が初期状態の後に生じる場合がある。
【００３１】
初期状態後において、例えばｉ行目が表示欠陥となっている場合、当該ｉ行目のサブ画素１３０に対応する３本の走査線１２のうち、イネーブルとなっている一番上の走査線１２、または、該走査線１２に対応する単位回路１０００が不良となっている可能性が高い。
そこで、本実施形態では、この場合に、制御回路５は、当該ｉ行目のサブ画素１３０に対応する３本の走査線１２のうち、イネーブルとさせる走査線１２を、一番上以外の例えば中央の走査線１２に切り換えるように、当該ｉ行目のＹセレクター２２に指示する。
【００３２】
この指示により、ｉ行目に対応するＹセレクター２２は、走査線駆動回路２０からの走査信号Ｇ(i)を、ｉ行目のサブ画素１３０に対応する３本の走査線１２のうち、イネーブルとさせた中央の走査線１２に供給し、一番上および一番下の走査線１２に非選択信号を供給する。
【００３３】
ここで、図６に示されるように、走査信号Ｇ(i)がＬレベルになったとき、信号Ｇ(i)_bもＬレベルになるが、信号Ｇ(i)_a、Ｇ(i)_cは非選択信号のＨレベルとなる。
したがって、ｉ行ｊ列でいえば、当該サブ画素１３０に対応する９個の単位回路のうち、中央の走査線１２に対応する３個の単位回路１０００ではトランジスター１２２がオンするが、一番上および一番下の走査線１２に対応する６個の単位回路１０００ではトランジスター１２２がオフすることになる。
一方、信号Ｇ(i)_bがＬレベルになったとき、ｊ列に対応する３本のデータ線１４のうち、一番左のデータ線１４には、ｉ行ｊ列のＬＥＤ１５０に向けた階調レベルの信号Ｓ(j)が供給される一方、他の２本のデータ線１４には電位Ｖ_0が供給される点は初期状態と同様である。
【００３４】
このため、ｉ行ｊ列のサブ画素１３０に対応する９個の単位回路１０００のうち、ＯＬＥＤ１５０に向けて電流を流すのは、３本の走査線１２のうち、イネーブルされた中央の走査線１２、および、３本のデータ線１４のうち、イネーブルされた一番左のデータ線１４に対応する単位回路１０００のみとなり、ｉ行ｊ列のＯＬＥＤ１５０が、当該電流に応じて発光することになる。
なお、ここでは、ｉ行ｊ列のサブ画素１３０について説明したが、ｉ行であって他の列のサブ画素１３０についても同様であり、３本の走査線のうち中央の走査線１２および３本のデータ線１４のうち一番左のデータ線１４に対応する単位回路１０００のみが、対応するサブ画素１３０におけるＯＬＥＤ１５０に容量Ｃpixの保持電圧に応じた電流を流すことになる。
したがって、ｉ行目に対応する３本の走査線１２のうち、一番上の走査線１２、または、該走査線１２に対応する単位回路１０００が不良となって、ｉ行目が表示欠陥となった場合であっても、当該表示欠陥を修復することができる。
【００３５】
なお、仮に、ｉ行目に対応する３本の走査線１２のうち、一番上または中央の走査線１２をイネーブルしても表示欠陥が生じるのであれば、一番下の走査線１２をイネーブルとさせればよい。
【００３６】
一方、初期状態後において、表示欠陥が、行方向ではなく、列方向に沿って生じている場合、例えばｊ列目が表示欠陥となっている場合、制御回路５は、当該ｊ列目のサブ画素１３０に対応する３本のデータ線１４のうち、イネーブルとさせるデータ線１４を、一番左以外の例えば中央のデータ線１４に切り換えるように、当該ｊ列目のＸセレクター４２に指示する。
【００３７】
この指示により、ｊ列目に対応するＸセレクター４２は、図７に示されるように、データ線駆動回路４０からのデータ信号Ｓ(j)を、ｊ列目のＯＬＥＤ１５０に対応する３本のデータ１４線のうち、イネーブルとさせた中央のデータ線１４に信号Ｓ(j)_bとして供給し、一番左のデータ線１４に信号Ｓ(j)_aとして電位Ｖ_0の信号を、一番右のデータ線１４に信号Ｓ(j)_cとして電位Ｖ_0の信号を、それぞれ供給する。
このため、ｉ行ｊ列のサブ画素１３０に対応する９個の単位回路１０００のうち、ＯＬＥＤ１５０に向けて電流を流すのは、３本のデータ線１４のうち、イネーブルされた一番上の走査線１２および３本のデータ線１４のうち、イネーブルされた中央のデータ線１４に対応する単位回路１０００のみとなり、ｉ行ｊ列のＯＬＥＤ１５０が、当該電流に応じて発光することになる。
なお、ここでは、ｉ行ｊ列のサブ画素１３０について説明したが、他の行であって、ｊ列のサブ画素１３０についても同様であり、３本の走査線のうち一番上の走査線１２および３本のデータ線１４のうち中央一番左のデータ線１４に対応する単位回路１０００のみとなり、ｉ行ｊ列のＯＬＥＤ１５０が、当該電流に応じて発光することになる。
したがって、ｊ列目に対応する３本のデータ線１４のうち、一番左の走査線１２、または、該データ線１４に対応する単位回路１０００が不良となって、ｊ列目が表示欠陥となった場合であっても、当該表示欠陥を修復することができる。
なお、仮に、ｊ列目に対応する３本のデータ線１４のうち、一番左、中央のデータ線１４をイネーブルしても表示欠陥が生じるのであれば、一番右のデータ線１４をイネーブルとさせればよい。
【００３８】
このように本実施形態によれば、行方向または列方向に沿って事後的に発生した表示欠陥を容易に修復することができる。
【００３９】
第１実施形態では、１個のサブ画素１３０に対応する３本の走査線１２のうち、いずれか１本をイネーブルとし、他の２本をディスイネーブルとすることによって、３行のうち、いずれかの１行を使用する。また、１個のサブ画素１３０に対応する３本のデータ線１４のうち、いずれか１本をイネーブルとし、他の２本をディスイネーブルとすることによって、３列のうち、いずれかの１列を使用する。そして、イネーブルされた走査線１２とイネーブルされたデータ線１４との交差に対応する１個の単位回路１０００を使用してＯＬＥＤ１５０に電流を流し、他の８個の単位回路１０００を非使用とする構成である。すなわち、３行のうち、１行の走査線１２のみをイネーブルとし、３列のうち、１列のデータ線１４のみをイネーブルとすることによって、１個のＯＬＥＤ１５０に電流を流す単位回路１０００が決定される構成である。
そして、決定された１個の単位回路１０００がＯＬＥＤ１５０を駆動し、他の８個の単位回路１０００のいずれかは、１個の単位回路０１００に代わって、イネーブルする走査線１２またはデータ線１４の変更によって、ＯＬＥＤ１５０を駆動することができる。
なお、ＯＬＥＤ１５０に電流を流す単位回路１０００については、次のように決定される構成としてもよい。
例えば、図８に示されるように、各単位回路１０００においてトランジスター１２１と、ＯＬＥＤ１５０との間に、それぞれ発光制御トランジスターの一例であるトランジスター１２３を設ける構成としてもよい。
この構成における単位回路１０００では、トランジスター１２３がオフであれば、容量Ｃpixの保持電圧にかかわらず、トランジスター１２１がＯＬＥＤ１５０に向けて電流を流すことはない。
このため、トランジスター１２３のゲートノードに行または列方向で揃えた制御信号を供給することにより、ＯＬＥＤ１５０の駆動に使用する単位回路１０００の行または列を選択することができる。
なお、トランジスター１２３の制御信号については、例えば行方向で揃えるのであれば、制御回路５の指示によってＹセレクター２２が、３行のうち１行に当該トランジスター１２３をオンさせる信号を供給し、列方向で揃えるのであれば、制御回路５の指示によってＸセレクター４２が、３列のうち１列に当該トランジスター１２３をオンさせる信号を供給する構成とすればよい。
また、列方向で揃える場合に、Ｘセレクター４２を廃して、データ線駆動回路４０が、直接データ線１４のそれぞれに信号を供給する構成としてもよい。この構成において、データ線駆動回路１４０は、イネーブルまたはディセーブルとするデータ線１４の情報を制御回路５から受信するとともに、当該情報に応じて、データ線１４の各々についてイネーブルまたはディセーブルとしてもよい。すなわち、この構成において、データ線駆動回路１４０は、イネーブルとするデータ線１４には、階調レベルに応じたデータ信号を供給し、ディスイネーブルとするデータ線１４には、黒表示に相当する電位Ｖ_0の信号を供給する。
トランジスター１２３については、各単位回路１０００において、トランジスター１２１およびＯＬＥＤ１５０に対して直列であればよいので、図８に示されるようにトランジスター１２１とＯＬＥＤ１５０との間に限られず、給電線１１６とトランジスター１２１との間に設けてもよい。
【００４０】
単位回路１０００において、トランジスター１２１、１２２のチャネル型の変更などにより、電位関係が入れ替わる場合がある。電位関係が変わる場合に、ドレインノードとして説明したノードがソースノードとなり、ソースノードとして説明したノードがドレインノードとなることもあり得る。例えば、トランジスター１２１のソースノードおよびドレインノードのいずれか一方が給電線１１６に電気的に接続され、いずれか他方がトランジスター１２１を介してＯＬＥＤ１５０のアノードに電気的に接続されることもあり得る。
また、単位回路１０００は、図４または図８において簡易的に示されおり、図４または図８に示された構成以外でもよい。例えばトランジスター１２１のしきい値特性を補償するために、当該トランジスター１２１をダイオード接続させるトランジスターや、ＯＬＥＤ１５０のアノードを所定の電位にセットするためのトランジスターなどを設けてもよい。
【００４１】
また、第１実施形態では、１個のＯＬＥＤ１５０を９個の単位回路１０００のいずれかにより駆動したが、２個以上の単位回路１０００のいずれかで駆動する構成であればよい。この場合、２個以上の単位回路１０００においては、走査線１２またはデータ線１４の一方について非共用とすればよい。具体的には、１個のＯＬＥＤを、一の走査線と一のデータ線との交差に対応して設けられた一の単位回路と、当該一の単位回路に代えて、一の走査線と他のデータ線との交差、他の走査線と前記一のデータ線との交差、または、前記他の走査線と前記他のデータ線との交差に対応して設けられた他の単位回路とのいずれかによって駆動すればよい。
より詳細にはＯＬＥＤ１５０がＭ行Ｎ列で配列するのであれば、単位回路１０００は、Ｍ行よりも多いｍ行であって、Ｎ列よりも多いｎ列で配列すればよい。なお、ｍ行ｎ列で単位回路１０００が配列する場合、走査線１２の本数はｍであり、データ線１４の本数はｎである。
【００４２】
上述した第１実施形態では、１個のＯＬＥＤ１５０を２個以上の単位回路１０００のうち、いずれか１個の単位回路１０００によって駆動し、当該一の単位回路１０００に代えて、当該ＯＬＥＤ１５０を他の１個の単位回路１０００が駆動可能とする構成としたが、このような構成については、表示部１００の全部ではなく、一部とする構成としてもよい。
そこで次に、表示部１００の一部について、１個のＯＬＥＤ１５０を２個以上の単位回路１０００のいずれかによって駆動する構成とした実施形態について説明することにする。
【００４３】
＜第２実施形態＞
図９は、第２実施形態に係る電気光学装置１０の表示部１００を示す図であり、図１０は、電気光学装置１０の単位回路１０００およびサブ画素１３０の配列を簡易的に示す図である。
図１０に示されるように、第２実施形態では、表示部１００のうち、左半分の領域におけるサブ画素１３０の大きさが、右半分の領域におけるサブ画素１３０の大きさよりも、行および列方向にわたって１．５倍となっている。このため、左領域におけるサブ画素１３０の密度は、右領域におけるサブ画素１３０の密度よりも疎になるので、図９では、左領域が（１）低精細領域と表記され、右領域が（２）高精細領域と表記されている。
なお、左領域の低精細領域が第１領域の一例であり、右領域の高精細領域が第２領域の一例である。
一方で、単位回路１０００の配列する密度は、右領域と左領域とで同じである。このため、表示部１００のうち、右領域において単位回路１０００とサブ画素１３０とが一対一に対応する場合に、左領域では、サブ画素１３０に対して単位回路１０００が過剰となる。そこで、第２実施形態では、左領域において過剰となった単位回路１０００を、欠陥が生じた場合に使用する構成となっている。
具体的には、左領域におけるサブ画素１３０との対応関係について、図１０を参照して説明する。
【００４４】
図１０において表示部１００の左側における「→」という表記は、走査線１２の位置を示し、表示部１００の下側における「↑」という表記は、データ線１４の位置を示している。したがって、「→」の表記と「↑」の表記とに対応して単位回路１０００が配列する。
【００４５】
左領域においてサブ画素１３０の１列目は、「Ｒ」および「↑」のデータ線１４に対応する１列目の単位回路１０００を使用する。左領域においてサブ画素１３０の２列目は、無印（空白）の「↑」のデータ線１４に対応する２列目の単位回路１０００を予備とし、「Ｇ」および「↑」のデータ線１４に対応する３列目の単位回路１０００を使用する。左領域においてサブ画素１３０の３列目は、「Ｂ」および「↑」のデータ線１４に対応する４列目の単位回路１０００を使用し、無印の「↑」のデータ線１４に対応する５列目の単位回路１０００を予備とする。
また、左領域においてサブ画素１３０の１行目は、１行目の単位回路１０００を使用する。１行目の単位回路１０００は、左領域の（１）低精細領域だけでなく、右領域の（２）高精細領域でも使用されることから、１行目の走査線１２の位置を示す「→」の表記には（１）（２）が付加されている。
なお、２行目の単位回路１０００は、左領域の（１）低精細領域では使用されず、右領域の（２）高精細領域のみで使用されることから、２行目の走査線１２の位置を示す「→」の表記には（２）のみが付加されている。
【００４６】
図１１は、図１０において黒丸印が付された５個の単位回路１０００と３個のサブ画素１３０との電気的な構成を示す図である。なお、図１１は、電気的な構成を説明するための図に過ぎず、配列を示す図１０とはサブ画素１３０のピッチが異なっている。
図１１に示されるように、当該行において、１列目（左端）のＲのサブ画素１３０は、１列目の単位回路１０００のみに対応し、当該単位回路１０００がＲのＯＬＥＤ１５０に電流を流す。２列目のＧのサブ画素１３０は、２列目および３列目の単位回路１０００に対応し、いずれかの単位回路１０００がＧのＯＬＥＤ１５０に電流を流す。３列目のＢのサブ画素１３０は、４列目および５列目の単位回路１０００に対応し、いずれかの単位回路１０００がＢのＯＬＥＤ１５０に電流を流す。
このうち、２列目および５列目の単位回路１０００は予備であるので、初期状態では、２列目および５列目のデータ１４がディスイネーブルとされ、１列目、３列目および４列目のデータ線１４がイネーブルとされる。
初期状態において、３列目または４列目において表示欠陥が生じたならば、２列目または５列目のデータ線１４をイネーブルとすることによって、該表示欠陥を修復することができる。
なお、図１１では省略したが、図１０に示されるように、８列目の単位回路１０００も予備である。このため、初期状態において、７列目において表示欠陥が生じたならば、８列目のデータ線１４をイネーブルとすることによって、該表示欠陥を修復することができる。
【００４７】
なお、第２実施形態では、表示部１００の左領域を低精細領域とし、右領域を高精細領域としたが、逆としてもよい。また、表示部１００を左右に等分割したが、左右異なる割合で分割してもよい。
【００４８】
＜第３実施形態＞
図１２は、第３実施形態に係る電気光学装置１０の表示部１００を示す図であり、図１３は、電気光学装置１０の単位回路１０００およびサブ画素１３０の配列を簡易的に示す図である。
図１３に示されるように、第３実施形態では、表示部１００のうち、上半分の領域におけるサブ画素１３０の大きさが、下半分の領域におけるサブ画素１３０の大きさよりも、行および列方向にわたって１．５倍となっている。このため、上領域におけるサブ画素１３０の密度は、下領域におけるサブ画素１３０の密度よりも疎になるので、図１２では、上領域が（１）低精細領域と表記され、下領域が（２）高精細領域と表記されている。
なお、上領域の低精細領域が第１領域の一例であり、下領域の高精細領域が第２領域の一例である。
一方で、単位回路１０００の配列する密度は、上領域と下領域とで同じである。このため、表示部１００のうち、下領域において、単位回路１０００とサブ画素１３０とが一対一に対応する場合に、上領域では、サブ画素１３０に対して単位回路１０００が過剰となる。そこで、第３実施形態では、上領域において過剰となった単位回路１０００を、欠陥が生じた場合に使用する構成となっている。
具体的には、上領域におけるサブ画素１３０との対応関係について、図１３を参照して説明する。
【００４９】
具体的には、１行目のサブ画素１３０は、１行目の単位回路１０００を使用し、２行目の単位回路１０００を予備とする。このため、１行目の走査線１２の位置を示す「→」という表記には、（１）低精細領域で使用されるという意味で（１）が付加され、２行目の走査線１２の位置を示す「→」という表記は、予備という意味で無印（空白）が付加されている。
なお、２行目のサブ画素１３０は、３行目の単位回路１０００を使用する。このため、３行目の走査線１２の位置を示す「→」の表記には、（１）が付加されている。
【００５０】
上領域の１列目のサブ画素１３０（Ｒ）および下領域の１列目のサブ画素１３０（Ｒ）は、１列目の単位回路１０００を使用する。このため、１列目のデータ線１４の位置を示す「↑」の表記には「Ｒ」「Ｒ」が付加されている。なお、「Ｒ」「Ｒ」の先頭、すなわち図１３では上側の「Ｒ」は、表示部１００のうち上領域ではサブ画素１３０（Ｒ）で使用されることを意味し、「Ｒ」「Ｒ」の後尾、すなわち図１３では下側の「Ｒ」は、表示部１００のうち下領域ではサブ画素１３０（Ｒ）で使用されることを意味する。
上領域において２列目のサブ画素１３０（Ｇ）は、２列目の単位回路１０００を予備とし、３列目の単位回路１０００を使用する。一方、下領域におい２列目のサブ画素１３０（Ｇ）は、２列目の単位回路１０００を使用する。このため、２列目のデータ線１４の位置を示す「↑」の表記には、「無印（空白）」「Ｇ」が付加されている。
なお、上領域において２列目のサブ画素１３０（Ｇ）は、３列目の単位回路１０００を使用し、下領域において３列目のサブ画素１３０（Ｂ）は、３列目の単位回路１０００を使用する。このため、３列目のデータ線１４の位置を示す「↑」の表記には「Ｇ」「Ｂ」が付加されている。
上領域において３列目のサブ画素１３０（Ｂ）は、３列目の単位回路１０００を使用し、４列目の単位回路１０００を予備とする。一方、下領域において４列目のサブ画素１３０（Ｒ）は、４列目の単位回路１０００を使用する。このため、４列目のデータ線１４の位置を示す「↑」の表記には「Ｂ」「Ｒ」が付加されている。
なお、上領域において４列目のサブ画素１３０（Ｂ）は、５列目の単位回路１０００を予備とし、６列目の単位回路１０００を使用する。一方、下領域において５列目のサブ画素１３０（Ｇ）は、５列目の単位回路１０００を使用する。このため、５列目のデータ線１４の位置を示す「↑」の表記には、「無印（空白）」「Ｇ」が付加されている。
【００５１】
初期状態において、１行目に表示欠陥が生じたならば、２行目の走査線１２をイネーブルとすることによって、該表示欠陥を修復することができる。
【００５２】
なお、第３実施形態では、表示部１００の上領域を低精細領域とし、下領域を高精細領域としたが、逆としてもよい。また、表示部１００を上下に等分割したが、上下異なる割合で分割してもよい。
【００５３】
＜第４実施形態＞
図１４は、第４実施形態に係る電気光学装置１０の表示部１００を示す図であり、図１５は、電気光学装置１０の単位回路１０００およびサブ画素１３０の配列を簡易的に示す図である。
なお、この例は、表示部１００を上領域、中領域および下領域に分けるとともに、上領域を（１）低精細領域とし、中領域を（２）高精細領域とし、下領域を上領域と同様な（３）低精細領域としたものである。
第４実施形態は、第３実施形態の延長線上にあるため、特段の説明を要しないであろう。
【００５４】
第４実施形態において、初期状態において、１行目または６行目に表示欠陥が生じたならば、２行目または７行目の走査線１２をイネーブルとすることによって、該表示欠陥を修復することができる。
【００５５】
なお、第４実施形態では、表示部１００を上領域、中領域および下領域の上下３分割した構成で説明したが、左領域、中領域および右領域の左右３分割した構成でもよい。左右３分割した構成についても、第２実施形態の延長線上にあるため、特段の説明を要しないであろう。
分割数については、「３」に限られない。
いずれにしても、中領域から周辺領域に向かってサブ画素１３０の配列密度が疎となる構成が好ましい。人間の視感度は、中心に向かうほど敏感であり、周辺に向かうほど鈍感ろなるからある。
なお、第２乃至第４実施形態によれば、低精細領域となる分、電気光学装置１０に供給する画像データを削減することができる。
【００５６】
また、第１乃至第４実施形態では、電気光学素子の一例としてＯＬＥＤ１５０を挙げて説明したが、無機発光ダイオードやＬＥＤ（Light Emitting Diode）であってもよいし、液晶素子であってもよい。要は、電気エネルギーの供給（電界の印加や電流の供給）に応じて光学特性が変化する素子を電気光学素子として適用することができる。
本明細書で説明した各態様／実施形態は単独で用いてもよいし、組み合わせて用いてもよい。また、「接続された(connected)」という用語、または、この用語のあらゆる変形は、２またはそれ以上の要素間の直接的または間接的なあらゆる接続または結合を意味し、互いに「接続」された２つの要素間に１またはそれ以上の中間要素が存在することを含む。要素間の結合または接続は、物理的なものであっても、論理的なものであっても、或いはこれらの組み合わせであってもよい。
【００５７】
＜電子機器＞
次に、実施形態等に係る電気光学装置１０を適用した電子機器について説明する。電気光学装置１０は、画素が小サイズで高精細な表示な用途に向いている。そこで、電子機器として、ヘッドマウント・ディスプレイを例に挙げて説明する。
【００５８】
図１６は、ヘッドマウント・ディスプレイの外観を示す図であり、図１７は、その光学的な構成を示す図である。
まず、図１６に示されるように、ヘッドマウント・ディスプレイ３００は、外観的には、一般的な眼鏡と同様にテンプル３１０や、ブリッジ３２０、レンズ３０１Ｌ、３０１Ｒを有する。また、ヘッドマウント・ディスプレイ３００は、図１７に示されるように、ブリッジ３２０近傍であってレンズ３０１Ｌ、３０１Ｒの奥側（図において下側）には、左眼用の電気光学装置１０Ｌと右眼用の電気光学装置１０Ｒとが設けられる。
電気光学装置１０Ｌの画像表示面は、図１７において左側となるように配置している。これによって電気光学装置１０Ｌによる表示画像は、光学レンズ３０２Ｌを介して図において９時の方向に出射する。ハーフミラー３０３Ｌは、電気光学装置１０Ｌによる表示画像を６時の方向に反射させる一方で、１２時の方向から入射した光を透過させる。
電気光学装置１０Ｒの画像表示面は、電気光学装置１０Ｌとは反対の右側となるように配置している。これによって電気光学装置１０Ｒによる表示画像は、光学レンズ３０２Ｒを介して図において３時の方向に出射する。ハーフミラー３０３Ｒは、電気光学装置１０Ｒによる表示画像を６時方向に反射させる一方で、１２時の方向から入射した光を透過させる。
【００５９】
この構成において、ヘッドマウント・ディスプレイ３００の装着者は、電気光学装置１０Ｌ、１０Ｒによる表示画像を、外の様子と重ね合わせたシースルー状態で観察することができる。
また、このヘッドマウント・ディスプレイ３００において、視差を伴う両眼画像のうち、左眼用画像を電気光学装置１０Ｌに表示させ、右眼用画像を電気光学装置１０Ｒに表示させると、装着者に対し、表示された画像があたかも奥行きや立体感を持つかのように知覚させることができる。
【００６０】
なお、電気光学装置１０については、ヘッドマウント・ディスプレイ３００のほかにも、ビデオカメラやレンズ交換式のデジタルカメラなどにおける電子式ビューファインダーにも適用可能である。
【符号の説明】
【００６１】
１０…電気光学装置、１２…走査線、１４…データ線、２０…走査線駆動回路、２２…Ｙセレクター、４０…データ線駆動回路、４２…Ｘセレクター、１００…表示部、１２１、１２２、１２３…トランジスター、１５０…ＯＬＥＤ、１０００…単位回路。
【図１】
2020027270.tif 000003
【図２】
2020027270.tif 000004
【図３】
2020027270.tif 000005
【図４】
2020027270.tif 000006
【図５】
2020027270.tif 000007
【図６】
2020027270.tif 000008
【図７】
2020027270.tif 000009
【図８】
2020027270.tif 000010
【図９】
2020027270.tif 000011
【図１０】
2020027270.tif 000012
【図１１】
2020027270.tif 000013
【図１２】
2020027270.tif 000014
【図１３】
2020027270.tif 000015
【図１４】
2020027270.tif 000016
【図１５】
2020027270.tif 000017
【図１６】
2020027270.tif 000018
【図１７】
2020027270.tif 000019
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
第１走査線および第２走査線と、
第１データ線および第２データ線と、
前記第１走査線と前記第１データ線の交差に対応して設けられた第１単位回路と、
前記第１走査線と前記第２データ線との交差、前記第２走査線と前記第１データ線との交差、または、前記第２走査線と前記第２データ線との交差のいずれか１つに対応して設けられた第２単位回路と、
電気光学素子と、
を備え、
前記第１単位回路は、前記電気光学素子を駆動し、前記第２単位回路は、前記第１単位回路に代わって前記電気光学素子を駆動可能に構成された
電気光学装置。
【請求項２】
駆動回路をさらに備え、
前記第２単位回路は、前記第１走査線と前記第２データ線との交差に対応して設けられており、
前記駆動回路は、前記第１データ線または前記第２データ線の一方をイネーブルとし、前記第１データ線または前記第２データ線の他方をディスイネーブルとする
請求項１に記載の電気光学装置。
【請求項３】
前記駆動回路は、前記第１データ線または前記第２データ線の他方に、前記電気光学素子を黒表示にさせるレベルの信号を供給する
請求項２に記載の電気光学装置。
【請求項４】
駆動回路をさらに備え、
前記第２単位回路は、前記第２走査線と前記第１データ線との交差に対応して設けられた
請求項１に記載の電気光学装置。
【請求項５】
前記駆動回路は、前記第１走査線または前記第２走査線の一方をイネーブルとし、前記第１走査線または前記第２走査線の他方をディスイネーブルとする
請求項４に記載の電気光学装置。
【請求項６】
前記第１単位回路は、第１駆動トランジスターおよび第１発光制御トランジスターを含み、
前記第１駆動トランジスターは、前記電気光学素子に流れる電流を制御可能であり、
前記第１発光制御トランジスターは、前記第１駆動トランジスターおよび前記電気光学素子に対して直列に接続され、
前記第２単位回路は、第２駆動トランジスターおよび第２発光制御トランジスターを含み、
前記第２駆動トランジスターは、前記電気光学素子に流れる電流を制御可能であり、
前記第２発光制御トランジスターは、前記第２駆動トランジスターおよび前記電気光学素子に対して直列に接続され、
前記駆動回路は、前記第１発光制御トランジスターまたは前記第２発光制御トランジスターの一方をオンさせ、前記第１発光制御トランジスターまたは前記第２発光制御トランジスターの他方をオフさせる
請求項４に記載の電気光学装置。
【請求項７】
前記第１走査線と前記第２データ線との交差に対応して設けられた第３単位回路と、
前記第２走査線と前記第２データ線との交差に対応して設けられた第４単位回路と、
をさらに含み、
前記駆動回路は、
前記第１走査線または前記第２走査線の一方と、前記第１データ線または前記第２データ線の一方とをイネーブルとし、
前記第１走査線または前記第２走査線の他方と、前記第１データ線または前記第２データ線の他方とをディスイネーブルとし、
前記第１単位回路、前記第２単位回路、前記第３単位回路、または、前記第４単位回路のいずれか１つによって前記電気光学素子を駆動する
請求項４に記載の電気光学装置。
【請求項８】
第１走査線および第２走査線を含む複数の走査線と、
第１データ線および第２データ線を含む複数のデータ線と、
第１単位回路および第２単位回路を含み、前記複数の走査線と前記複数のデータ線との交差に対応して設けられた複数の単位回路と、
第１電気光学素子を含む複数の電気光学素子と、
を有し、
前記第１単位回路は、前記第１走査線と前記第１データ線との交差に対応して設けられ、
前記第２単位回路は、前記第１走査線と前記第２データ線との交差、前記第２走査線と前記第１データ線との交差、または、前記第２走査線と前記第２データ線との交差のいずれか１つに対応して設けられ、
前記第１単位回路は、前記第１電気光学素子を駆動し、前記第２単位回路は、前記第１単位回路に代わって前記第１電気光学素子を駆動可能に構成された
電気光学装置。
【請求項９】
前記複数の走査線は、ｍ（ｍは３以上の整数）本であり、
前記複数のデータ線は、ｎ（ｎは３以上の整数）本であり、
前記複数の単位回路は、前記ｍ本の走査線と前記ｎ本のデータ線との交差に対応してｍ行ｎ列で配列し、
前記複数の電気光学素子は、Ｍ（Ｍは、Ｍ＜ｍを満たす２以上の整数）行Ｎ（Ｎは、Ｎ＜ｎを満たす２以上の整数）列で配列する
請求項８に記載の電気光学装置。
【請求項１０】
前記複数の電気光学素子のうち、
第１領域に配列する前記電気光学素子の密度は、第２領域に配列する前記電気光学素子の密度よりも低い
請求項８または９に記載の電気光学装置。
【請求項１１】
第１走査線および第２走査線と、
第１データ線および第２データ線と、
前記第１走査線と前記第１データ線との交差に対応して設けられた第１単位回路と、
前記第１走査線と前記第２データ線との交差、前記第２走査線と前記第１データ線との交差、または、前記第２走査線と前記第２データ線との交差のいずれか１つに対応して設けられた第２単位回路と、
電気光学素子と、
を有し、
前記電気光学素子は、前記第１単位回路または前記第２単位回路のいずれか１つにより駆動される
電気光学装置。
【請求項１２】
前記第２単位回路は、
前記第１走査線と前記第２データ線との交差、または、前記第２走査線と前記第２データ線との交差に対応して設けられ、
前記第１データ線に欠陥がある場合、前記電気光学素子は、前記第２単位回路によって駆動され、
当該第１データ線には、前記電気光学素子を黒表示にさせるレベルの信号が供給される
請求項１１に記載の電気光学装置。
【請求項１３】
前記第２単位回路は、
前記第２走査線と前記第１データ線との交差、または、前記第２走査線と前記第２データ線との交差に対応して設けられ、
前記第１単位回路または前記第２単位回路のうち、前記第１単位回路を使用し、前記第２単位回路を非使用とする場合、
前記第１走査線はイネーブルとされ、前記第２走査線はディスイネーブルとされる
請求項１１に記載の電気光学装置。
【請求項１４】
前記第１単位回路は、第１駆動トランジスターおよび第１発光制御トランジスターを含み、
前記第１駆動トランジスターは、前記電気光学素子に流れる電流を制御可能であり、
前記第１発光制御トランジスターは、前記第１駆動トランジスターおよび前記電気光学素子に対して直列に接続され、
前記第２単位回路は、第２駆動トランジスターおよび第２発光制御トランジスターを含み、
前記第２駆動トランジスターは、前記電気光学素子に流れる電流を制御可能であり、
前記第２発光制御トランジスターは、前記第２駆動トランジスターおよび前記電気光学素子に対して直列に接続され、
前記第１発光制御トランジスターまたは前記第２発光制御トランジスターの一方がオンし、前記第１発光制御トランジスターまたは前記第２発光制御トランジスターの他方がオフして、
前記第１単位回路または前記第２単位回路のいずれか１つで前記電気光学素子が駆動される
請求項１１に記載の電気光学装置。
【請求項１５】
請求項１乃至１４のいずれかに記載の電気光学装置を有する電子機器。
【手続補正２】
【補正対象書類名】明細書
【補正対象項目名】０００６
【補正方法】変更
【補正の内容】
【０００６】
上記課題の一つを解決するために、本発明の一態様に係る電気光学装置は、第１走査線および第２走査線と、第１データ線および第２データ線と、前記第１走査線と前記第１データ線の交差に対応して設けられた第１単位回路と、前記第１走査線と前記第２データ線との交差、前記第２走査線と前記第１データ線との交差、または、前記第２走査線と前記第２データ線との交差のいずれか１つに対応して設けられた第２単位回路と、電気光学素子と、を備え、前記第１単位回路は、前記電気光学素子を駆動し、前記第２単位回路は、前記第１単位回路に代わって前記電気光学素子を駆動可能に構成される。
【手続補正３】
【補正対象書類名】明細書
【補正対象項目名】００１３
【補正方法】変更
【補正の内容】
【００１３】
制御回路５は、上位回路から供給された画像データや同期信号に基づいて、各種信号を出力する。主な信号について説明すれば、制御回路５は、走査線駆動回路２０を制御するための制御信号Ｃtryと、データ線駆動回路４０を制御するための制御信号Ｃtrxと、サブ画素１３０の階調を指定する階調レベルＶdとを出力する。なお、図２では複雑化を避けるために省略されているが、制御回路５からは、Ｙセレクター２２に、いずれの走査線１２をイネーブルとするか、いずれの走査線１２をディスイネーブルとするかに関する情報が供給され、Ｘセレクター４２に、いずれのデータ線１４をイネーブルとするか、ディスイネーブルとの情報が供給される。
【手続補正４】
【補正対象書類名】明細書
【補正対象項目名】００１４
【補正方法】変更
【補正の内容】
【００１４】
走査線駆動回路２０は、Ｍ行Ｎ列で配列するサブ画素１３０を１フレームの期間にわたって順番に走査するための走査信号を、制御信号Ｃtryにしたがって生成する。ここで、１、２、３、…、（Ｍ−１）、Ｍ行目のサブ画素１３０を走査するための走査信号が、それぞれＧ(1)、Ｇ(2)、Ｇ(3)、…、Ｇ(M-1)、Ｇ(M)と表記されている。
なお、Ｍ行Ｎ列で配列するサブ画素１３０の行、および、３本毎にグループ化された走査線１２の行を一般的に説明するために、１≦ｉ≦Ｍを満たす整数のｉを用い、ｉ行目と表記され、ｉ行目のサブ画素１３０を走査するための走査信号がＧ(i)と表記される。
また、１フレームの期間とは、電気光学装置１０が１カット（コマ）分の画像を表示するのに要する期間をいい、例えば同期信号に含まれる垂直同期信号の周波数が６０Ｈｚであって、画像表示が垂直同期信号の等倍速であれば、その信号の１周期分の１６．７ミリ秒の期間である。
【手続補正５】
【補正対象書類名】明細書
【補正対象項目名】００２０
【補正方法】変更
【補正の内容】
【００２０】
なお、図３では、Ｙセレクター２２によって、ｉ行目のサブ画素１３０に対応する３本の走査線１２に供給される信号が、それぞれＧ(i)_a、Ｇ(i)_b、Ｇ(i)_cと表記されている。
同様に、Ｘセレクター４２によって、ｊ列目のサブ画素１３０に対応する３本のデータ線１４に供給される信号が、それぞれＳ(j)_a、Ｓ(j)_b、Ｓ(j)_cと表記され、（ｊ＋１）列目のサブ画素１３０に対応する３本のデータ線１４に供給される信号が、それぞれＳ(j+1)_a、Ｓ(j+1)_b、Ｓ(j+1)_cと表記され、（ｊ＋２）列目のサブ画素１３０に対応する３本のデータ線１４に供給される信号が、それぞれＳ(j+2)_a、Ｓ(j+2)_b、Ｓ(j+2)_cと表記されている。
【手続補正６】
【補正対象書類名】明細書
【補正対象項目名】００２５
【補正方法】変更
【補正の内容】
【００２５】
また、初期状態においてＮ個のＸセレクター４２は、３本のうち、一番左の１本のデータ線１４のみをイネーブルとする。このため、ｊ列目でいえば、Ｘセレクター４２は、当該ｊ列目に対応する３本のデータ線１４に供給される信号Ｓ(j)_a、Ｓ(j)_b、Ｓ(j)_cのうち、信号Ｓ(j)_aをデータ線駆動回路４０から出力されるデータ信号Ｓ(j)とし、信号Ｓ(j)_b、Ｓ(j)_cを電位Ｖ_0とする。
なお、ここではｊ列目について説明しているが、他の列についても同様である。
【手続補正７】
【補正対象書類名】明細書
【補正対象項目名】００３３
【補正方法】変更
【補正の内容】
【００３３】
ここで、図６に示されるように、走査信号Ｇ(i)がＬレベルになったとき、信号Ｇ(i)_bもＬレベルになるが、信号Ｇ(i)_a、Ｇ(i)_cは非選択信号のＨレベルとなる。
したがって、ｉ行ｊ列でいえば、当該サブ画素１３０に対応する９個の単位回路のうち、中央の走査線１２に対応する３個の単位回路１０００ではトランジスター１２２がオンするが、一番上および一番下の走査線１２に対応する６個の単位回路１０００ではトランジスター１２２がオフすることになる。
一方、信号Ｇ(i)_bがＬレベルになったとき、ｊ列に対応する３本のデータ線１４のうち、一番左のデータ線１４には、ｉ行ｊ列のＯＬＥＤ１５０に向けた階調レベルの信号Ｓ(j)が供給される一方、他の２本のデータ線１４には電位Ｖ_0が供給される点は初期状態と同様である。
【手続補正８】
【補正対象書類名】明細書
【補正対象項目名】００３４
【補正方法】変更
【補正の内容】
【００３４】
このため、ｉ行ｊ列のサブ画素１３０に対応する９個の単位回路１０００のうち、ＯＬＥＤ１５０に向けて電流を流すのは、３本の走査線１２のうち、イネーブルされた中央の走査線１２、および、３本のデータ線１４のうち、イネーブルされた一番左のデータ線１４に対応する単位回路１０００のみとなり、ｉ行ｊ列のＯＬＥＤ１５０が、当該電流に応じて発光することになる。
なお、ここでは、ｉ行ｊ列のサブ画素１３０について説明したが、ｉ行であって他の列のサブ画素１３０についても同様であり、３本の走査線のうち中央の走査線１２および３本のデータ線１４のうち一番左のデータ線１４に対応する単位回路１０００のみが、対応するサブ画素１３０におけるＯＬＥＤ１５０に容量Ｃpixの保持電圧に応じた電流を流すことになる。
したがって、ｉ行目に対応する３本の走査線１２のうち、一番上の走査線１２、または、一番上の走査線１２に対応する単位回路１０００が不良となって、ｉ行目が表示欠陥となった場合であっても、当該表示欠陥を修復することができる。
【手続補正９】
【補正対象書類名】明細書
【補正対象項目名】００３７
【補正方法】変更
【補正の内容】
【００３７】
この指示により、ｊ列目に対応するＸセレクター４２は、図７に示されるように、データ線駆動回路４０からのデータ信号Ｓ(j)を、ｊ列目のＯＬＥＤ１５０に対応する３本のデータ線１４のうち、イネーブルとさせた中央のデータ線１４に信号Ｓ(j)_bとして供給し、一番左のデータ線１４に信号Ｓ(j)_aとして電位Ｖ_0の信号を、一番右のデータ線１４に信号Ｓ(j)_cとして電位Ｖ_0の信号を、それぞれ供給する。
このため、ｉ行ｊ列のサブ画素１３０に対応する９個の単位回路１０００のうち、ＯＬＥＤ１５０に向けて電流を流すのは、３本の走査線１２のうち、イネーブルされた一番上の走査線１２および３本のデータ線１４のうち、イネーブルされた中央のデータ線１４に対応する単位回路１０００のみとなり、ｉ行ｊ列のＯＬＥＤ１５０が、当該電流に応じて発光することになる。
なお、ここでは、ｉ行ｊ列のサブ画素１３０について説明したが、他の行であって、ｊ列のサブ画素１３０についても同様であり、３本の走査線１２のうち一番上の走査線１２および３本のデータ線１４のうち中央のデータ線１４に対応する単位回路１０００のみとなり、ｉ行ｊ列のＯＬＥＤ１５０が、当該電流に応じて発光することになる。
したがって、ｊ列目に対応する３本のデータ線１４のうち、一番左のデータ線１４、または、一番左のデータ線１４に対応する単位回路１０００が不良となって、ｊ列目が表示欠陥となった場合であっても、当該表示欠陥を修復することができる。
なお、仮に、ｊ列目に対応する３本のデータ線１４のうち、一番左、中央のデータ線１４をイネーブルしても表示欠陥が生じるのであれば、一番右のデータ線１４をイネーブルとさせればよい。
【手続補正１０】
【補正対象書類名】明細書
【補正対象項目名】００３９
【補正方法】変更
【補正の内容】
【００３９】
第１実施形態では、１個のサブ画素１３０に対応する３本の走査線１２のうち、いずれか１本をイネーブルとし、他の２本をディスイネーブルとすることによって、３行のうち、いずれかの１行を使用する。また、１個のサブ画素１３０に対応する３本のデータ線１４のうち、いずれか１本をイネーブルとし、他の２本をディスイネーブルとすることによって、３列のうち、いずれかの１列を使用する。そして、イネーブルされた走査線１２とイネーブルされたデータ線１４との交差に対応する１個の単位回路１０００を使用してＯＬＥＤ１５０に電流を流し、他の８個の単位回路１０００を非使用とする構成である。すなわち、３行のうち、１行の走査線１２のみをイネーブルとし、３列のうち、１列のデータ線１４のみをイネーブルとすることによって、１個のＯＬＥＤ１５０に電流を流す単位回路１０００が決定される構成である。
そして、決定された１個の単位回路１０００がＯＬＥＤ１５０を駆動し、他の８個の単位回路１０００のいずれかは、１個の単位回路１０００に代わって、イネーブルする走査線１２またはデータ線１４の変更によって、ＯＬＥＤ１５０を駆動することができる。
なお、ＯＬＥＤ１５０に電流を流す単位回路１０００については、次のように決定される構成としてもよい。
例えば、図８に示されるように、各単位回路１０００においてトランジスター１２１と、ＯＬＥＤ１５０との間に、それぞれ発光制御トランジスターの一例であるトランジスター１２３を設ける構成としてもよい。
この構成における単位回路１０００では、トランジスター１２３がオフであれば、容量Ｃpixの保持電圧にかかわらず、トランジスター１２１がＯＬＥＤ１５０に向けて電流を流すことはない。
このため、トランジスター１２３のゲートノードに行または列方向で揃えた制御信号を供給することにより、ＯＬＥＤ１５０の駆動に使用する単位回路１０００の行または列を選択することができる。
なお、トランジスター１２３の制御信号については、例えば行方向で揃えるのであれば、制御回路５の指示によってＹセレクター２２が、３行のうち１行に当該トランジスター１２３をオンさせる信号を供給し、列方向で揃えるのであれば、制御回路５の指示によってＸセレクター４２が、３列のうち１列に当該トランジスター１２３をオンさせる信号を供給する構成とすればよい。
また、列方向で揃える場合に、Ｘセレクター４２を廃して、データ線駆動回路４０が、直接データ線１４のそれぞれに信号を供給する構成としてもよい。この構成において、データ線駆動回路１４０は、イネーブルまたはディセーブルとするデータ線１４の情報を制御回路５から受信するとともに、当該情報に応じて、データ線１４の各々についてイネーブルまたはディセーブルとしてもよい。すなわち、この構成において、データ線駆動回路１４０は、イネーブルとするデータ線１４には、階調レベルに応じたデータ信号を供給し、ディスイネーブルとするデータ線１４には、黒表示に相当する電位Ｖ_0の信号を供給する。
トランジスター１２３については、各単位回路１０００において、トランジスター１２１およびＯＬＥＤ１５０に対して直列であればよいので、図８に示されるようにトランジスター１２１とＯＬＥＤ１５０との間に限られず、給電線１１６とトランジスター１２１との間に設けてもよい。
【手続補正１１】
【補正対象書類名】明細書
【補正対象項目名】００４６
【補正方法】変更
【補正の内容】
【００４６】
図１１は、図１０において黒丸印が付された５個の単位回路１０００と３個のサブ画素１３０との電気的な構成を示す図である。なお、図１１は、電気的な構成を説明するための図に過ぎず、配列を示す図１０とはサブ画素１３０のピッチが異なっている。
図１１に示されるように、当該行において、１列目（左端）のＲのサブ画素１３０は、１列目の単位回路１０００のみに対応し、当該単位回路１０００がＲのＯＬＥＤ１５０に電流を流す。２列目のＧのサブ画素１３０は、２列目および３列目の単位回路１０００に対応し、いずれかの単位回路１０００がＧのＯＬＥＤ１５０に電流を流す。３列目のＢのサブ画素１３０は、４列目および５列目の単位回路１０００に対応し、いずれかの単位回路１０００がＢのＯＬＥＤ１５０に電流を流す。
このうち、２列目および５列目の単位回路１０００は予備であるので、初期状態では、２列目および５列目のデータ線１４がディスイネーブルとされ、１列目、３列目および４列目のデータ線１４がイネーブルとされる。
初期状態において、３列目または４列目において表示欠陥が生じたならば、２列目または５列目のデータ線１４をイネーブルとすることによって、該表示欠陥を修復することができる。
なお、図１１では省略したが、図１０に示されるように、８列目の単位回路１０００も予備である。このため、初期状態において、７列目において表示欠陥が生じたならば、８列目のデータ線１４をイネーブルとすることによって、該表示欠陥を修復することができる。
【手続補正１２】
【補正対象書類名】明細書
【補正対象項目名】００４９
【補正方法】変更
【補正の内容】
【００４９】
具体的には、１行目のサブ画素１３０は、１行目の単位回路１０００を使用し、２行目の単位回路１０００を予備とする。このため、１行目の走査線１２の位置を示す「→」という表記には、１行目の単位回路１０００は低精細領域で使用されるという意味で（１）が付加され、２行目の走査線１２の位置を示す「→」という表記は、２行目の単位回路１０００は予備とするという意味で無印（空白）が付加されている。
なお、２行目のサブ画素１３０は、３行目の単位回路１０００を使用する。このため、３行目の走査線１２の位置を示す「→」の表記には、（１）が付加されている。